(57)【要約】  【課題】  バストボリュームの違いに幅広く対応し、かつ、補整機能を発揮するカップ部分を有する女性用衣料を提供すること。  【解決手段】  左右一対のカップ部分２，２を非伸縮性のセンター部３で連結してあると共に、前記カップ部分２，２とバック部分４との間に、縦横に伸縮性を有し横方向の伸縮率が縦方向の伸縮率よりも大きい脇パーツ５を設けてある。  【選択図】  図１
2006200090.tif 000002
【特許請求の範囲】
【請求項１】
左右一対のカップ部分を非伸縮性のセンター部で連結してあると共に、前記カップ部分とバック部分との間に、縦横に伸縮性を有し横方向の伸縮率が縦方向の伸縮率よりも大きい脇パーツを設けてあることを特徴とするカップ部分を有する女性用衣料。
【発明の詳細な説明】
【技術分野】
【０００１】
この発明は、例えば、ブラジャー、ボディースーツ、ブラスリップ等のカップ部分を有する女性用衣料に関する。
【背景技術】
【０００２】
カップ部分を有する女性用衣料としてブラジャーがあり、このブラジャーについては、カップサイズ（Ａカップ，Ｂカップ等）およびアンダーバストサイズ（７０ｃｍ，７５ｃｍ等）の組み合わせでサイズ設定をする場合と、トップバストサイズ（Ｍサイズ，Ｌサイズ等）のみを用いてサイズ設定をする場合とがある。
【特許文献１】特開２００３−２７８００６号公報
【発明の開示】
【発明が解決しようとする課題】
【０００３】
そして、後者のサイズ設定に対応可能なブラジャーはバストボリューム（カップサイズ）を問わないソフトブラと呼ばれるブラジャー等に限られていた。すなわち、バストボリュームに合わせてバストアップ機能等の補整機能を発揮するように構成されていた従来のブラジャーでは、後者のサイズ設定を適用すると補整機能が充分に発揮されないおそれがあった。換言すれば、従来のブラジャーでは、バストボリュームの違いに幅広く対応する構成と補整機能との両方を備えるのが困難であった。
【０００４】
この発明は上述の事柄に留意してなされたもので、その目的は、バストボリュームの違いに幅広く対応し、かつ、補整機能を発揮するカップ部分を有する女性用衣料を提供することである。
【課題を解決するための手段】
【０００５】
上記目的を達成するために、本発明のカップ部分を有する女性用衣料は、左右一対のカップ部分を非伸縮性のセンター部で連結してあると共に、前記カップ部分とバック部分との間に、縦横に伸縮性を有し横方向の伸縮率が縦方向の伸縮率よりも大きい脇パーツを設けてあることを特徴としている（請求項１）。
【発明の効果】
【０００６】
請求項１に係る発明では、前記脇パーツを設けたことにより、バストボリュームの違いに幅広く対応し、かつ、補整機能を発揮するカップ部分を有する女性用衣料が得られる。すなわち、前記脇パーツは、例えば着用者のバストがＡカップの場合には殆ど伸びず、Ｃカップの場合には伸びる。そして、このような構成により、バストボリュームの相違に対応可能となっており、また、一対のカップ部分を連結するセンター部が非伸縮性であることから、乳間は拡がらず、バストを適宜に寄せ上げる補整機能（サイドプッシュ機能）が発揮されることとなり、造形性の面で非常に優れたものとなる。
【発明を実施するための最良の形態】
【０００７】
図１は、本発明の一実施の形態に係るカップ部分を有する女性用衣料（以下、衣料という）１の構成を概略的に示す斜視図、図２は、前記衣料１を構成する各部の構成を概略的に示すパターン図である。図１に示すように、この実施の形態に係る衣料１はブラジャーであり、左右一対のカップ部分２，２と、これらカップ部分２，２を連結する非伸縮性のセンター部３と、前記カップ部分２，２に連結されるバック部分４と、前記カップ部分２，２とバック部分４との間に設けられる脇パーツ５，５とを備えている。
【０００８】
前記カップ部分２，２は、上側パーツ６と下側パーツ７とからなり、上側パーツ６の下側縁６ａ（図２参照）と下側パーツ７の上側縁７ａ（図２参照）とが縫着され、これにより、両者６，７が縫着部分を中心に前側に膨出して立体的な形状となるように構成されている。また、各カップ部分２の裏側には、パット（図示していない）が設けられている。  
【０００９】
前記センター部３は、二重構造で裏側に非伸縮性の素材が設けられており、これにより、センター部３全体に非伸縮性が付与されている。また、センター部３の左右一対の円弧縁３ａ，３ａ（図２参照）にそれぞれカップ部分２の内側円弧縁２ａ（図２参照）が縫着される。
【００１０】
前記バック部分４は、その左右端縁４ａ，４ａが前記センター部３の左右端縁３ｂ，３ｂに縫着され、また、一対のストラップ８の各後側部を構成する帯状部８ａ，８ａが設けられている。
【００１１】
前記脇パーツ５は、縦長のパーツであり、その下部内側に設けられた円弧縁５ａが前記カップ部分２の外側円弧縁２ｂに縫着され、下部外側に設けられた円弧縁５ｂがバック部分４の左右の円弧縁４ｂに縫着される。また、脇パーツ５の上部には、前記一対のストラップ８の各前側部を構成する帯状部８ｂが設けられている。
【００１２】
そして、前記脇パーツ５は、縦横に伸縮性を有し横方向の伸縮率が縦方向の伸縮率よりも大きくなるように構成されている。詳しく説明すると、図３は前記脇パーツ５の構成を概略的に示す説明図であり、この図に示すように、前記横方向とは、前記脇パーツ５の内円弧縁５ａの上端と下端とを直線で結んだときに形成される仮想ラインＬに対して角度θをなす直線Ｍと平行な方向を指し、この実施の形態における角度θは、例えば８５〜９５°である。一方、前記縦方向とは、前記横方向に垂直な方向である。
【００１３】
また、前記脇パーツ５は、縦方向に元の長さを１としたときに１．８程度伸び、横方向には元の長さを１としたときに２〜２．３程度伸びるように構成されている。すなわち、脇パーツ５の縦横の伸縮比は１．８：２〜２．３である。
【００１４】
さらに、図４は前記衣料１の要部の構成を概略的に示す説明図であり、この図に示すように、前記カップ部分２の上側パーツ６と下側パーツ７との縫着により形成される縫合部分９はほぼ円弧状であり、前記脇パーツ５の下部外側に設けられる円弧縁５ｂの上端の点ｐは、円弧状の前記縫合部分９を一部とする円上にあるとみなすことができる。そして、前記縫合部分９とカップ部分２の内側円弧縁２ａとの交点をｑ、外側円弧縁２ｂとの交点をｒとしたとき、前記円において、前記点ｒから点ｐまでの間に形成される円弧Ｅの長さが、前記点ｑから点ｐまでの間に形成される円弧Ｆの長さの１／３以下となるように設定されているのが望ましい。具体的には、前記円弧Ｅの長さは８ｃｍ以下であり、この実施の形態では５ｃｍ程度としてある。
【００１５】
また、図５は、脇パーツ５とバック部分４との縫着方法を概略的に示す説明図である。この図に示すように、脇パーツ５の下部外側に設けられた円弧縁５ｂと、バック部分４の左右の円弧縁４ｂとを縫着するに際して両者５ｂ，４ｂを突き合わせたときに、両者５ｂ，４ｂの間に隙間１１が形成されるようにし、この隙間１１が両者５ｂ，４ｂの中央部分ほど大きくなるように構成すれば、前記隙間１１を塞ぐように両者５ｂ，４ｂを適宜に引っ張った状態で縫着することで、脇パーツ５とバック部分４とが縫着部分を中心に外側に膨出して立体的な形状となる。そして、上記構成により、衣料１が造形性の面で優れたものとなる。なお、図５に示した縫着方法を、上述したカップ部分２を構成する上側パーツ６と下側パーツ７との縫着に適用することもできる。
【００１６】
この実施の形態における衣料１では、ＡカップからＣカップまでのバストボリュームに対応可能となるように脇パーツ５の伸縮率が設定されている。
【００１７】
なお、この発明は上記の実施の形態に限られず、種々に変形して実施することができる。例えば、衣料１は、ブラジャーに限られず、ボディースーツ、ブラスリップ等のカップ部分を有する女性用衣料であってもよい。
【００１８】
また、前記衣料１の伸縮率は、ＡカップからＣカップまで等、三つのカップに対応可能となるように設定されているものに限られない。例えば、脇パーツ５の伸縮率が、ＡカップとＢカップ、ＢカップとＣカップ等、二つのカップに対応可能となるように設定されていてもよいし、四つ以上のカップに対応可能となるように設定されていてもよい。
【図面の簡単な説明】
【００１９】
【図１】本発明の一実施の形態に係るカップ部分を有する女性用衣料の構成を概略的に示す斜視図である。
【図２】前記女性用衣料を構成する各部の構成を概略的に示すパターン図である。
【図３】前記女性用衣料の脇パーツの構成を概略的に示す説明図である。
【図４】前記女性用衣料の要部の構成を概略的に示す説明図である。
【図５】脇パーツとバック部分との縫着方法を概略的に示す説明図である。
【符号の説明】
【００２０】
１  カップ部分を有する女性用衣料
２  カップ部分
３  センター部
４  バック部分
５  脇パーツ
【図１】
2006200090.tif 000003
【図２】
2006200090.tif 000004
【図３】
2006200090.tif 000005
【図４】
2006200090.tif 000006
【図５】
2006200090.tif 000007